(57)【要約】  情報対話方法及び端末を提供する。該方法において、目標メッセージを第１ネットワークノードに送信し、第１ネットワークノードに関連する第１情報を記録することと、第１ネットワークノードから目標メッセージに対する応答メッセージが所定時間帯内に受信されない場合、第１情報及び端末に関連する第２情報を記憶することと、端末から正常にアクセスしたネットワークノードである第２ネットワークノードに第１情報及び／又は第２情報を送信することとを含む。
2021525033.tif 000002
【特許請求の範囲】
【請求項１】
端末に応用される情報対話方法であって、
目標メッセージを第１ネットワークノードに送信し、前記第１ネットワークノードに関連する第１情報を記録することと、
前記第１ネットワークノードから前記目標メッセージに対する応答メッセージが所定時間帯内に受信されない場合、前記第１情報及び前記端末に関連する第２情報を記憶することと、
端末から正常にアクセスしたネットワークノードである第２ネットワークノードに前記第１情報及び／又は第２情報を送信することとを含む、情報対話方法。
【請求項２】
前記第１ネットワークノードと前記第２ネットワークノードは、同じネットワークノードであり、又は、前記第１ネットワークノードと前記第２ネットワークノードは、異なるネットワークノードである、請求項１に記載の方法。
【請求項３】
前記第１ネットワークノードから前記目標メッセージに対する応答メッセージが前記所定時間帯内に受信された場合、前記第１情報をクリアすることを更に含む、請求項１に記載の方法。
【請求項４】
前記第１情報は、前記目標メッセージのメッセージタイプ、前記目標メッセージを搬送するアップリンクの識別情報、前記目標メッセージを搬送する上りキャリアの識別情報、前記第１ネットワークノードの識別情報、前記第１ネットワークノードのネットワークタイプ、前記第１ネットワークノードが属する公衆陸上移動体ネットワークＰＬＭＮリスト、前記第１ネットワークノードのトラッキングエリアコード、前記第１ネットワークノードの無線アクセスネットワークエリアコード、前記第１ネットワークノードの位置情報及び前記第１ネットワークノードの信号品質情報の少なくとも１つを含む、請求項１に記載の方法。
【請求項５】
前記第２情報は、前記端末のメディアアクセス制御ＭＡＣパラメータ、前記端末の無線リンク制御レイヤプロトコルＲＬＣパラメータ、目標メッセージを送信する際に前記端末が使用する無線リソース情報及び前記端末と前記第１ネットワークノードとの対話失敗回数の少なくとも１つを含む、請求項１に記載の方法。
【請求項６】
前記第２情報には、前記端末のメディアアクセス制御ＭＡＣパラメータが含まれる場合、ＭＡＣエンティティをクリアすることを更に含み、
前記第２情報には、前記端末の無線リンク制御レイヤプロトコルＲＬＣパラメータが含まれる場合、ＲＬＣエンティティをクリアすることを更に含み、
前記第２情報には、目標メッセージを送信する際に前記端末が使用する無線リソース情報が含まれる場合、目標メッセージを送信する際に前記端末が使用する無線リソースを更に含む、請求項５に記載の方法。
【請求項７】
前記目標メッセージがアイドル状態又は接続非活性状態端末から送信された接続要求メッセージである場合、前記の第２ネットワークノードに前記第１情報及び／又は第２情報を送信するステップは、
端末から第２ネットワークノードに正常にアクセスしたとき、又は、端末から第２ネットワークノードに正常にアクセスした後に、前記第１情報及び／又は第２情報を第２ネットワークノードに送信することを含む、請求項１に記載の方法。
【請求項８】
前記目標メッセージが接続状態端末から送信されたメッセージである場合、前記の第２ネットワークノードに前記第１情報及び／又は第２情報を送信するステップは、
前記所定時間帯の終了時刻に前記第１情報及び／又は第２情報を、前記第１ネットワークノードと同じネットワークノードである第２ネットワークノードに送信することを含む、請求項１に記載の方法。
【請求項９】
前記の第２ネットワークノードに前記第１情報及び／又は第２情報を送信するステップは、
前記第１情報及び前記第２情報が前記端末に格納されていることを指示する第１指示情報を、第２ネットワークノードに送信することと、
前記第１情報及び／又は第２情報の報告を前記端末に指示する第２指示情報を、前記第２ネットワークノードから受信することと、
前記第２指示情報に基づいて、前記第１情報及び／又は第２情報を前記第２ネットワークノードに報告することとを含む、請求項１に記載の方法。
【請求項１０】
目標メッセージを第１ネットワークノードに送信し、前記第１ネットワークノードに関連する第１情報を記録する送信記録モジュールと、
前記第１ネットワークノードから前記目標メッセージに対する応答メッセージが所定時間帯内に受信されない場合、前記第１情報及び前記端末に関連する第２情報を記憶する記憶モジュールと、
端末から正常にアクセスしたネットワークノードである第２ネットワークノードに前記第１情報及び／又は第２情報を送信する情報送信モジュールとを含む、端末。
【請求項１１】
前記第１ネットワークノードと前記第２ネットワークノードは、同じネットワークノードであり、又は、前記第１ネットワークノードと前記第２ネットワークノードは、異なるネットワークノードである、請求項１０に記載の端末。
【請求項１２】
前記第１ネットワークノードから前記目標メッセージに対する応答メッセージが前記所定時間帯内に受信された場合、前記第１情報をクリアする情報クリアモジュールを更に含む、請求項１０に記載の端末。
【請求項１３】
前記第１情報は、前記目標メッセージのメッセージタイプ、前記目標メッセージを搬送するアップリンクの識別情報、前記目標メッセージを搬送する上りキャリアの識別情報、前記第１ネットワークノードの識別情報、前記第１ネットワークノードのネットワークタイプ、前記第１ネットワークノードが属する公衆陸上移動体ネットワークＰＬＭＮリスト、前記第１ネットワークノードのトラッキングエリアコード、前記第１ネットワークノードの無線アクセスネットワークエリアコード、前記第１ネットワークノードの位置情報及び前記第１ネットワークノードの信号品質情報の少なくとも１つを含む、請求項１０に記載の端末。
【請求項１４】
前記第２情報は、前記端末のメディアアクセス制御ＭＡＣパラメータ、前記端末の無線リンク制御レイヤプロトコルＲＬＣパラメータ、目標メッセージを送信する際に前記端末が使用する無線リソース情報及び前記端末と前記第１ネットワークノードとの対話失敗回数の少なくとも１つを含む、請求項１０に記載の端末。
【請求項１５】
前記第２情報には、前記端末のメディアアクセス制御ＭＡＣパラメータが含まれる場合、ＭＡＣエンティティをクリアする第１クリアモジュール、
前記第２情報には、前記端末の無線リンク制御レイヤプロトコルＲＬＣパラメータが含まれる場合、ＲＬＣエンティティをクリアする第２クリアモジュール、及び、
前記第２情報には、目標メッセージを送信する際に前記端末が使用する無線リソース情報が含まれる場合、目標メッセージを送信する際に前記端末が使用する無線リソースをクリアする第３クリアモジュールを更に含む、請求項１４に記載の端末。
【請求項１６】
前記情報送信モジュールは、
前記目標メッセージがアイドル状態又は接続非活性状態端末から送信された接続要求メッセージである場合、端末から第２ネットワークノードに正常にアクセスしたとき、又は、端末から第２ネットワークノードに正常にアクセスした後に、前記第１情報及び／又は第２情報を第２ネットワークノードに送信する第１情報送信サブモジュールを含む、請求項１０に記載の端末。
【請求項１７】
前記情報送信モジュールは、
前記目標メッセージが接続状態端末から送信されたメッセージである場合、前記所定時間帯の終了時刻に前記第１情報及び／又は第２情報を、前記第１ネットワークノードと同じネットワークノードである第２ネットワークノードに送信する第２情報送信サブモジュールを含む、請求項１０に記載の端末。
【請求項１８】
前記情報送信モジュールは、
前記第１情報及び前記第２情報が前記端末に格納されていることを指示する第１指示情報を、第２ネットワークノードに送信する第１送信サブモジュールと、
前記第１情報及び／又は第２情報の報告を前記端末に指示する第２指示情報を、前記第２ネットワークノードから受信する第１受信サブモジュールと、
前記第２指示情報に基づいて、前記第１情報及び／又は第２情報を前記第２ネットワークノードに報告する第３情報送信サブモジュールとを含む、請求項１０に記載の端末。
【請求項１９】
プロセッサと、メモリと、前記メモリに格納されて前記プロセッサで動作可能なコンピュータプログラムを含む端末であって、
前記コンピュータプログラムが前記プロセッサによって実行されると、請求項１〜９のいずれか一項に記載の情報対話方法のステップが実現される、端末。
【請求項２０】
コンピュータプログラムが格納されているコンピュータ読み取り可能な記憶媒体であって、
前記コンピュータプログラムがプロセッサによって実行されると、請求項１〜９のいずれか一項に記載の情報対話方法のステップが実現される、コンピュータ読み取り可能な記憶媒体。
【発明の詳細な説明】
【技術分野】
【０００１】
本願は、２０１８年５月３１日に中国特許庁に提出された中国特許出願２０１８１０５５２７７０．５の優先権を主張し、その全ての内容が援用によりここに取り込まれる。
本開示は、通信技術分野に係り、特に情報対話方法及び端末に係る。
【背景技術】
【０００２】
従来技術において、端末とネットワークとの対話処理には、多くのネットワークと端末との対話情報が含まれている。端末とネットワークとの間の対話の失敗は、端末がネットワークからのあるメッセージを受信しなかったこと、又は端末がネットワークからのメッセージを受信したものの接続又は解析に失敗したこと、又は他の理由による可能性がある。しかし、ネットワーク側は、対話が失敗した原因を知ることができず、また、ある対話が成功したかを知ることもできない。
【発明の概要】
【発明が解決しようとする課題】
【０００３】
本開示は、端末が対話に失敗したか否か及び対話失敗の原因をネットワークノードが取得することができないという従来技術の問題を解決するために、情報対話方法及び端末をリアルタイムに提供する。
【課題を解決するための手段】
【０００４】
上記の技術課題を解決するために、本開示は、下記のように実現される。端末に応用される情報対話方法であって、目標メッセージを第１ネットワークノードに送信し、前記第１ネットワークノードに関連する第１情報を記録することと、前記第１ネットワークノードから前記目標メッセージに対する応答メッセージが所定時間帯内に受信されない場合、前記第１情報及び前記端末に関連する第２情報を記憶することと、端末から正常にアクセスしたネットワークノードである第２ネットワークノードに前記第１情報及び／又は第２情報を送信することとを含む。
【０００５】
本開示の実施例は、目標メッセージを第１ネットワークノードに送信し、前記第１ネットワークノードに関連する第１情報を記録する送信記録モジュールと、前記第１ネットワークノードから前記目標メッセージに対する応答メッセージが所定時間帯内に受信されない場合、前記第１情報及び前記端末に関連する第２情報を記憶する記憶モジュールと、端末から正常にアクセスしたネットワークノードである第２ネットワークノードに前記第１情報及び／又は第２情報を送信する情報送信モジュールとを含む端末を更に提供する。
【０００６】
本開示の実施例は、プロセッサと、メモリと、前記メモリに格納されて前記プロセッサで動作可能なコンピュータプログラムを含む端末を更に提供し、前記コンピュータプログラムが前記プロセッサによって実行されると、上記情報対話方法のステップが実現される。
【０００７】
本開示の実施例は、コンピュータプログラムが格納されているコンピュータ読み取り可能な記憶媒体を更に提供し、前記コンピュータプログラムがプロセッサによって実行されると、上記情報対話方法のステップが実現される。
【発明の効果】
【０００８】
本開示の実施例において、目標メッセージの送信後に第１情報を記録し、対話の失敗後に第１情報と第２情報を記憶し、端末から正常にアクセスしたネットワークノードに第１情報及び／又は第２情報を送信することによって、ネットワークノードは、対話の失敗に関する第１情報及び／又は第２情報をタイムリーに取得することができ、これにより、第１情報及び／又は第２情報に基づいて情報対話処理を最適化し、情報対話の成功率を向上させることができる。
【図面の簡単な説明】
【０００９】
本開示の実施例の技術手段をより明確に説明するために、以下、本開示の実施例の記載に必要とされる図面を簡単に紹介する。明らかに、以下の記載に関する図面は、単に本開示の一部の実施例である。当業者にとって、創造性のある作業をしない前提で、これらの図面から他の図面を得ることもできる。
【００１０】
【図１】本開示の実施例に係る情報対話方法のフローチャートである。
【図２】本開示の実施例に係る端末の構造図その１である。
【図３】本開示の実施例に係る端末の構造図その２である。
【図４】本開示の実施例に係る端末の構造図その３である。
【発明を実施するための形態】
【００１１】
以下、本開示の実施例の図面とともに、本開示の実施例の技術手段を明確且つ完全的に記載する。明らかに、記載する実施例は、本開示の実施例の一部であり、全てではない。本開示の実施例に基づき、当業者が創造性のある作業をしなくても為しえる全ての他の実施例は、いずれも本開示の保護範囲に属するものである。
【００１２】
図１に示すように、本開示の実施例に係る情報対話方法は、端末に応用され、以下のステップを含む。
【００１３】
ステップ１０１において、目標メッセージを第１ネットワークノードに送信し、前記第１ネットワークノードに関連する第１情報を記録する。
【００１４】
本ステップにおいて、目標メッセージは、ネットワークノードからの応答を必要とするメッセージであり、例えば（ネットワークノードから接続要求応答メッセージをフィードバックする必要がある）接続要求メッセージであったり、（ネットワークからＲＲＣ再配置完了応答メッセージをフィードバックする必要がある）無線リソース制御ＲＲＣ（Ｒａｄｉｏ  Ｒｅｓｏｕｒｃｅ  Ｃｏｎｔｒｏｌ）再配置完了メッセージであったりするが、ここでは枚挙しない。
【００１５】
ステップ１０２において、前記第１ネットワークノードから前記目標メッセージに対する応答メッセージが所定時間帯内に受信されない場合、前記第１情報及び前記端末に関連する第２情報を記憶する。
【００１６】
本ステップにおいて、応答メッセージが所定時間帯内に受信されない場合、端末と第１ネットワークノードとの間の目標メッセージに関する対話が失敗したことを示す。
【００１７】
ステップ１０３において、端末から正常にアクセスしたネットワークノードである第２ネットワークノードに前記第１情報及び／又は第２情報を送信する。
【００１８】
本ステップにおいて、前記第１ネットワークノードと前記第２ネットワークノードは、同じネットワークノードであり、又は、前記第１ネットワークノードと前記第２ネットワークノードは、異なるネットワークノードである。
【００１９】
なお、ネットワーク側に収集記録エレメントが設けられている場合、第２ネットワークノードは、受信した第１情報及び／又は第２情報を収集記録エレメントに報告し、収集記録エレメントは、複数の端末の第１情報及び／又は第２情報を解析して最適化することで、情報対話の成功率を向上させる。
【００２０】
更に、本開示の上記実施例において、前記方法は、前記第１ネットワークノードから前記目標メッセージに対する応答メッセージが前記所定時間帯内に受信された場合、前記第１情報をクリアすることを更に含む。
【００２１】
本ステップにおいて、応答メッセージが所定時間帯内に受信されたことは、端末と第１ネットワークノードとの間の目標メッセージに関する対話が成功したことを示し、この場合、端末の記憶空間を節約するために、以前に記録された第１情報をクリアする必要がある。
【００２２】
なお、上記所定時間帯の算出は、タイマによって実現され、即ち、端末から目標メッセージを送信した後にタイマを起動する（このタイマのタイミングの長さは、上記所定時間帯の時間長である）。タイマがタイムアウトしていなければ、端末が第１ネットワークノードの応答メッセージを正常に受信した場合、前記第１情報をクリアし（即ち、今回の情報対話が成功した）、タイマがタイムアウトになって端末が第１ネットワークノードの応答メッセージを受信しなかった場合、前記第１情報及び前記端末に関連する第２情報を記憶する（即ち、この情報対話が失敗した）。
【００２３】
例えば、端末からＲＲＣ接続要求を送信し、タイマＴ＞０であるときに端末が第１ネットワークノードからのＲＲＣ接続応答を受信すると、端末は、ステップ１０１で記録された第１情報をクリアし、タイマを停止する。タイマＴ＝０であるとき、端末が第１ネットワークノードからのＲＲＣ接続応答を受信しておらず、即ち接続に失敗すると、端末は、ステップ１０１で記録された第１情報及び端末に関連する第２情報を記憶し、更に、タイマを再起動させ、接続要求の再送を試みる。
【００２４】
任意選択で、本開示の上記実施例において、前記第１情報は、前記目標メッセージのメッセージタイプ（例えば目標メッセージのメッセージタイプがＲＲＣ接続要求メッセージである）、前記目標メッセージを搬送するアップリンクの識別情報、前記目標メッセージを搬送する上りキャリアの識別情報、前記第１ネットワークノードの識別情報、前記第１ネットワークノードのネットワークタイプ（例えば、ネットワークタイプは、ＬＴＥ（Ｌｏｎｇ  Ｔｅｒｍ  Ｅｖｏｌｕｔｉｏｎ）、ＮＲ（Ｎｅｗ  Ｒａｄｉｏ）などであり、ここでは、枚挙しない）、前記第１ネットワークノードが属する公衆陸上移動体ネットワークＰＬＭＮリスト、前記第１ネットワークノードのトラッキングエリアコード、前記第１ネットワークノードの無線アクセスネットワークエリアコードＲＡＮＡＣ（ＲＡＮ  Ａｒｅａ  Ｃｏｄｅ）、前記第１ネットワークノードの位置情報及び前記第１ネットワークノードの信号品質情報の少なくとも１つを含む。
【００２５】
５Ｇシステムでは、補完アップリンクＳＵＬ（ｓｕｐｐｌｅｍｅｎｔａｒｙ  ｕｐｌｉｎｋ）の概念が導入されている。端末が補完アップリンクを使用した場合、端末は、目標メッセージを搬送するアップリンクの識別情報をネットワークノードに報告する必要があり、ネットワークノードは、どのアップリンク上のメッセージが対話に失敗したかを知ることができる。更に、異なるアップリンクは、同じキャリアを用いてもよいし、異なるキャリアを用いてもよい。異なるアップリンクで異なるキャリアを用いた場合、端末は、目標メッセージを搬送する上りキャリアの識別情報をネットワークノードに報告し、ネットワークノードは、どのキャリアに対応するアップリンク上のメッセージが対話に失敗したかを知ることもできる。
【００２６】
更に、第１ネットワークノードの信号品質情報は、基準信号受信電力ＲＳＲＰ（Ｒｅｆｅｒｅｎｃｅ  Ｓｉｇｎａｌ  Ｒｅｃｅｉｖｉｎｇ  Ｐｏｗｅｒ）、基準信号受信品質ＲＳＲＱ（Ｒｅｆｅｒｅｎｃｅ  Ｓｉｇｎａｌ  Ｒｅｃｅｉｖｉｎｇ  Ｑｕａｌｉｔｙ）、信号対干渉プラス雑音比ＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）、ビームｂｅａｍ関連情報（例えば同期信号ブロックＳＳ  ｂｌｏｃｋ、一次同期信号ＰＳＳ、二次同期信号ＳＳＳ）、帯域幅パートＢＷＰ情報（例えばＢＷＰ識別情報）、基本サービスセット識別情報ＢＳＳＩＤ（ｂａｓｉｃ  ｓｅｒｖｉｃｅ  ｓｅｔ  ｉｄｅｎｔｉｆｉｅｒ）、受信信号強度指示ＲＳＳＩ（ｒｅｃｅｉｖｅｄ  ｓｉｇｎａｌ  ｓｔｒｅｎｇｔｈ  ｉｎｄｉｃａｔｏｒ）、パワーヘッドルームＰＨ（Ｐｏｗｅｒ  Ｈｅａｄｒｏｏｍ）、同期信号ブロックＳＳ  ｂｌｏｃｋのＲＳＲＰ、ＲＳＲＱ、ＳＩＮＲ、ＰＳＳ、ＳＳＳ及び関連物理ブロードキャストチャネルＰＢＣＨ（例えばＰＳＳ及びＳＳＳの測定は、ビーム時間インデックス（ｂｅａｍ  ｔｉｍｅ  ｉｎｄｅｘ）を含み、ＰＢＣＨの測定は、復調基準信号ＤＭＲＳ（Ｄｅｍｏｄｕｌａｔｉｏｎ  Ｒｅｆｅｒｅｎｃｅ  Ｓｉｇｎａｌ）測定及び関連ビームｂｅａｍ情報とを含む）、チャネル状態情報基準信号ＣＳＩ−ＲＳのＲＳＲＰ、ＲＳＲＱ、ＳＩＮＲの測定情報、及びトラッキング基準信号ＴＲＳ（Ｔｒａｃｋｉｎｇ  ＲＳ）又は位相トラッキング基準信号ＰＴＲＳ（Ｐｈａｓｅ−ｔｒａｃｋｉｎｇ  ＲＳ）の測定情報の少なくとも１つを含む。
【００２７】
更に、本開示の上記実施例において、前記第２情報は、前記端末のメディアアクセス制御ＭＡＣ（Ｍｅｄｉａ  Ａｃｃｅｓｓ  Ｃｏｎｔｒｏｌ又はＭｅｄｉｕｍ  Ａｃｃｅｓｓ  Ｃｏｎｔｒｏｌ）パラメータ、前記端末の無線リンク制御レイヤプロトコルＲＬＣ（Ｒａｄｉｏ  Ｌｉｎｋ  Ｃｏｎｔｒｏｌ）パラメータ、目標メッセージを送信する際に前記端末が使用する無線リソース情報（例えばシグナリングベアラＳＲＢ及びデータベアラＤＲＢのパラメータ）及び前記端末と前記第１ネットワークノードとの対話失敗回数（タイマを使用して前記所定時間帯を監視する場合、前記端末と前記第１ネットワークノードとの対話失敗回数は、具体的には、タイマがタイムアウトした回数である）の少なくとも１つを含む。
【００２８】
更に、本開示の上記実施例において、前記第２情報には、前記端末のメディアアクセス制御ＭＡＣパラメータが含まれる場合、前記方法において、ＭＡＣエンティティをクリアすることを更に含む。前記第２情報には、前記端末の無線リンク制御レイヤプロトコルＲＬＣパラメータが含まれる場合、前記方法において、ＲＬＣエンティティをクリアすることを更に含む。前記第２情報には、目標メッセージを送信する際に前記端末が使用する無線リソース情報が含まれる場合、前記方法において、シグナリングベアラＳＲＢ（Ｓｉｇｎａｌｉｎｇ  Ｒａｄｉｏ  Ｂｅａｒｅｒ）及びデータベアラＤＲＢ（Ｄａｔａ  Ｒａｄｉｏ  Ｂｅａｒｅｒ）を含む、目標メッセージを送信する際に前記端末が使用する無線リソースをクリアすることを更に含む。
【００２９】
更に、本開示の上記実施例における端末と第１ネットワークノードとの対話の失敗は、アイドル状態（ＩＤＬＥ状態）又は接続非活性状態（ＩＮＡＣＴＩＶＥ状態）の端末と第１ネットワークノードとの間の接続失敗である場合１と、接続状態の端末と第１ネットワークノードとの間の通信失敗である場合２を含む。
【００３０】
例えば、端末が目標メッセージを第１ネットワークノードに送信する際に、端末がアイドル状態（ＩＤＬＥ状態）又は接続非活性状態（ＩＮＡＣＴＩＶＥ状態）にある場合、目標メッセージは、接続要求処理におけるメッセージである。この場合、端末と第１ネットワークノードとの間の対話失敗は、接続失敗である。この場合、目標メッセージは、ＭＳＧ１（メッセージ１）などのランダムアクセスチャネルＲＡＣＨ（Ｒａｎｄｏｍ  Ａｃｃｅｓｓ  Ｃｈａｎｎｅｌ）要求メッセージ、又は、ＭＳＧ３（メッセージ３）などの接続要求メッセージ、又は、ＭＳＧ５（メッセージ５）などの接続完了メッセージ及び／又はアタッチＡｔｔａｃｈ要求メッセージを含む。
【００３１】
また例えば、端末が第１ネットワークノードに目標メッセージを送信する際に、端末が接続状態にある場合、目標メッセージは、接続状態端末から送信されたメッセージである。この場合、端末と第１ネットワークノードとの間の対話失敗は、通信失敗である。この場合、目標メッセージは、ＥＰＳモビリティ管理ＥＭＭ（ＥＰＳ  Ｍｏｂｉｌｉｔｙ  Ｍａｎａｇｅｍｅｎｔ）検証応答メッセージ、ＥＭＭセキュリティモード完了（ＥＭＭ  Ｓｅｃｕｒｉｔｙ  ｍｏｄｅ  ｃｏｍｐｌｅｔｅ）メッセージ、ＲＲＣセキュリティモード完了（ＲＲＣ  Ｓｅｃｕｒｉｔｙ  ｍｏｄｅ  ｃｏｍｐｌｅｔｅ）メッセージ、ＲＲＣ再配置完了メッセージ、及び非アクセス層ＮＡＳ（Ｎｏｎ−Ａｃｃｅｓｓ−Ｓｔｒａｔｕｍ）接続要求メッセージ（例えばアップリンクダイレクト伝送メッセージ（ｕＬ  Ｄｉｒｅｃｔ  Ｔｒａｎｓｆｅｒ）及び／又はアタッチ完了（Ａｔｔａｃｈ  ｃｏｍｐｌｅｔｅ）メッセージ及び／又は活性化デフォルトＥＰＳベアラコンテキスト要求（ａｃｔｉｖａｔｅ  ｄｅｆａｕｌｔ  ＥＰＳ  ｂｅａｒｅｒ  ｃｏｎｔｅｘｔ  ａｃｃｅｐｔ）メッセージ及び／又はプロトコルデータユニットセッション（Ｐｒｏｔｏｃｏｌ  Ｄａｔａ  Ｕｎｉｔ  ｓｅｓｓｉｏｎ）メッセージ）の少なくとも１つを含む。
【００３２】
なお、上記の目標メッセージの具体的な限定は、本開示の代替的な実施例にすぎず、他の接続状態端末から送信され、ネットワークノードによる応答を必要とするメッセージは、全て目標メッセージと呼ばれてもよく、ここでは枚挙しない。
【００３３】
上記の例を踏まえ、対話失敗の２つの場合に対し、本開示の実施例において第１情報及び／又は第２情報を送信するタイミングも２つのケースを含む。具体的には、前記目標メッセージがアイドル状態又は接続非活性状態の端末から送信された接続要求メッセージである場合１の接続失敗に対し、本開示の実施例に係る情報対話方法は、端末から第２ネットワークノードに正常にアクセスしたとき、又は、端末から第２ネットワークノードに正常にアクセスした後に、前記第１情報及び／又は第２情報を第２ネットワークノードに送信することを更に含む。
【００３４】
この場合、前記第１ネットワークノードと前記第２ネットワークノードは、同じネットワークノードであり、又は、前記第１ネットワークノードと前記第２ネットワークノードは、異なるネットワークノードである。第１ネットワークノードと第２ネットワークノードは、ネットワークタイプが同じであっても異なっていてもよい。
【００３５】
例えば、端末は、ＬＴＥネットワークでＲＲＣ接続失敗が発生した場合、第１情報及び／又は第２情報をＬＴＥネットワークに報告してもよいし、５ＧやＷＬＡＮや３Ｇなどの通信網に報告してもよく、ここでは、特に限定しない。
【００３６】
また、例えば、端末は、ネットワーク１のネットワークノード１においてＲＲＣ接続失敗が発生し、ＲＲＣ接続の失敗後に、ネットワーク１のネットワークノード１において再び接続に成功する。また、例えば、端末は、ネットワーク１のネットワークノード１においてＲＲＣ接続の失敗が発生し、ＲＲＣ接続の失敗後に、ネットワーク２のネットワークノード１において接続に成功する。また例えば、端末は、ネットワーク１でＲＲＣ接続失敗が発生し、ＲＲＣ接続失敗後にネットワーク２で接続に成功する。
【００３７】
なお、端末が第１ネットワークノードとの接続に失敗した場合、第２ネットワークノードが第１ネットワークノードと異なるネットワークノードであれば、第２ネットワークノードは、端末から報告された第１情報及び／又は第２情報を受信した後に、更に第１情報及び／又は第２情報を第１ネットワークノードに転送し、それによって、第１ネットワークノードは、第１情報及び／又は第２情報を用いて接続最適化を行う。
【００３８】
対応的に、前記目標メッセージが接続状態端末から送信されたメッセージである場合２の接続失敗が通信失敗である場合、本開示の実施例に係る情報対話方法は、前記所定時間帯の終了時刻（タイマＴ＝０のときと称されてもよい）に前記第１情報及び／又は第２情報を、前記第１ネットワークノードと同じネットワークノードである第２ネットワークノードに送信することを更に含む。
【００３９】
なお、端末に上り下り変換の時間を取っておくために、所定時間帯の終了時刻よりも後のいずれかの時刻（この時刻は予め設定されていてもよい）に、前記第１情報及び／又は第２情報を第２ネットワークノードに送信してもよい。即ち、第１情報及び／又は第２情報の送信時刻と、所定時間帯の終了時刻との間の時間間隔を記憶するようにしてもよく、この時間間隔は、予め設定されていてもよく、特に限定されるものではない。
【００４０】
更に、本開示の上記実施例において、端末が第２ネットワークノードに第１情報及び／又は第２情報を報告する方式は、能動的に報告してもよいし、第２ネットワークノードの指示に応じて報告してもよい。能動的に報告する方式として、端末が第２ネットワークノードに正常にアクセスしたとき又は正常にアクセスした後に、端末が能動的に前記第１情報及び／又は第２情報を第２ネットワークノードに送信すること、又は、前記所定時間帯の終了時刻に、端末が能動的に前記第１情報及び／又は第２情報を第２ネットワークノードに送信することを含む。
【００４１】
第２ネットワークノードの指示に応じて報告する方式は、具体的には以下を含み、即ち、ステップ１０３は、前記第１情報及び前記第２情報が前記端末に格納されていることを指示する第１指示情報を、第２ネットワークノードに送信することと、前記第１情報及び／又は第２情報の報告を前記端末に指示する第２指示情報を、前記第２ネットワークノードから受信することと、前記第２指示情報に基づいて、前記第１情報及び／又は第２情報を前記第２ネットワークノードに報告することとを含む。
【００４２】
ここで、第２ネットワークノードに第１指示情報を送信するタイミングは、端末が第２ネットワークノードに正常にアクセスしたとき、端末が第２ネットワークノードに正常にアクセスした後、又は、前記所定時間帯の終了時刻、又は、所定時間帯の終了時刻よりも後のいずれかを含むが、特に限定されない。第１指示情報は、ＭＳＧ１、ＭＳＧ３、ＭＳＧ５などの既存のＲＲＣメッセージに含まれる。又は、端末は、専用シグナリングを用いて、該第１の指示情報を第２ネットワークノードに送信する。
【００４３】
任意選択で、第２指示情報は、ＭＳＧ２、ＭＳＧ４、ＭＳＧ６などの既存のＲＲＣメッセージに含まれる。例えば、ＲＲＣ再配置メッセージ、ＲＲＣポーズメッセージ、ＲＲＣリリースメッセージなどがある。又は、第２ネットワークノードは、専用シグナリングを使用して、該第２指示情報を端末に送信する。
【００４４】
端末が第２指示情報に基づいて第１情報及び／又は第２情報を第２ネットワークノードに報告する過程において、該第１情報及び／又は第２情報は、ＲＲＣ接続確立メッセージ、ＲＲＣ回復メッセージ、ＲＲＣ再確立メッセージなどの既存のＲＲＣメッセージに含まれる。又は、端末は、専用シグナリングを用いて、第１情報及び／又は第２情報を第２ネットワークノードに報告する。
【００４５】
上記のように、本開示の上記実施例において、端末は、目標メッセージの送信後に第１情報を記録し、対話の失敗後に第１情報と第２情報を記憶し、端末から正常にアクセスしたネットワークノードに第１情報及び／又は第２情報を送信することによって、ネットワークノードは、対話の失敗に関する第１情報及び／又は第２情報をタイムリーに取得することができ、これにより、第１情報及び／又は第２情報に基づいて情報対話処理を最適化し、情報対話の成功率を向上させることができる。
【００４６】
図２に示すように、本開示の実施例に係る端末２００は、目標メッセージを第１ネットワークノードに送信し、前記第１ネットワークノードに関連する第１情報を記録する送信記録モジュール２０１と、前記第１ネットワークノードから前記目標メッセージに対する応答メッセージが所定時間帯内に受信されない場合、前記第１情報及び前記端末に関連する第２情報を記憶する記憶モジュール２０２と、端末から正常にアクセスしたネットワークノードである第２ネットワークノードに前記第１情報及び／又は第２情報を送信する情報送信モジュール２０３とを含む。
【００４７】
任意選択で、本開示の上記実施例において、前記第１ネットワークノードと前記第２ネットワークノードは、同じネットワークノードであり、又は、前記第１ネットワークノードと前記第２ネットワークノードは、異なるネットワークノードである。
【００４８】
任意選択で、本開示の上記実施例において、前記端末は、前記第１ネットワークノードから前記目標メッセージに対する応答メッセージが前記所定時間帯内に受信された場合、前記第１情報をクリアする情報クリアモジュールを更に含む。
【００４９】
任意選択で、本開示の上記実施例において、前記第１情報は、前記目標メッセージのメッセージタイプ、前記目標メッセージを搬送するアップリンクの識別情報、前記目標メッセージを搬送する上りキャリアの識別情報、前記第１ネットワークノードの識別情報、前記第１ネットワークノードのネットワークタイプ、前記第１ネットワークノードが属する公衆陸上移動体ネットワークＰＬＭＮリスト、前記第１ネットワークノードのトラッキングエリアコード、前記第１ネットワークノードの無線アクセスネットワークエリアコード、前記第１ネットワークノードの位置情報及び前記第１ネットワークノードの信号品質情報の少なくとも１つを含む。
【００５０】
任意選択で、本開示の上記実施例において、前記第２情報は、前記端末のメディアアクセス制御ＭＡＣパラメータ、前記端末の無線リンク制御レイヤプロトコルＲＬＣパラメータ、目標メッセージを送信する際に前記端末が使用する無線リソース情報及び前記端末と前記第１ネットワークノードとの対話失敗回数の少なくとも１つを含む。
【００５１】
任意選択で、本開示の上記実施例において、前記端末は、前記第２情報には、前記端末のメディアアクセス制御ＭＡＣパラメータが含まれる場合、ＭＡＣエンティティをクリアする第１クリアモジュール、前記第２情報には、前記端末の無線リンク制御レイヤプロトコルＲＬＣパラメータが含まれる場合、ＲＬＣエンティティをクリアする第２クリアモジュール、及び、前記第２情報には、目標メッセージを送信する際に前記端末が使用する無線リソース情報が含まれる場合、目標メッセージを送信する際に前記端末が使用する無線リソースをクリアする第３クリアモジュールを更に含む。
【００５２】
任意選択で、本開示の上記実施例において、前記情報送信モジュール２０３は、前記目標メッセージがアイドル状態又は接続非活性状態端末から送信された接続要求メッセージである場合、端末から第２ネットワークノードに正常にアクセスしたとき、又は、端末から第２ネットワークノードに正常にアクセスした後に、前記第１情報及び／又は第２情報を第２ネットワークノードに送信する第１情報送信サブモジュールを含む。
【００５３】
任意選択で、本開示の上記実施例において、前記情報送信モジュール２０３は、前記目標メッセージが接続状態端末から送信されたメッセージである場合、前記所定時間帯の終了時刻に前記第１情報及び／又は第２情報を、前記第１ネットワークノードと同じネットワークノードである第２ネットワークノードに送信する第２情報送信サブモジュールを含む。
【００５４】
任意選択で、本開示の上記実施例において、前記情報送信モジュール２０３は、前記第１情報及び前記第２情報が前記端末に格納されていることを指示する第１指示情報を、第２ネットワークノードに送信する第１送信サブモジュールと、前記第１情報及び／又は第２情報の報告を前記端末に指示する第２指示情報を、前記第２ネットワークノードから受信する第１受信サブモジュールと、前記第２指示情報に基づいて、前記第１情報及び／又は第２情報を前記第２ネットワークノードに報告する第３情報送信サブモジュールとを含む。
【００５５】
本開示の実施例に係る端末は、図１の方法実施例で端末によって実現される各手順を実現することができ、重複を避けるために、ここでは繰り返して述べない。
【００５６】
上記のように、本開示の実施例において、端末は、目標メッセージの送信後に第１情報を記録し、対話の失敗後に第１情報と第２情報を記憶し、端末から正常にアクセスしたネットワークノードに第１情報及び／又は第２情報を送信することによって、ネットワークノードは、対話の失敗に関する第１情報及び／又は第２情報をタイムリーに取得することができ、これにより、第１情報及び／又は第２情報に基づいて情報対話処理を最適化し、情報対話の成功率を向上させることができる。
【００５７】
なお、本開示の上記実施例に係る端末は、上記情報対話方法を実現できる端末であり、上記情報対話方法のすべての実施例が該端末に適用可能であり、同じ又は類似の効果を奏することもできる。
【００５８】
図３は、本開示の各実施例を実現する端末のハードウェア構造図である。該端末３００は、ラジオ周波数ユニット３０１と、ネットワークモジュール３０２と、オーディオ出力ユニット３０３と、入力ユニット３０４と、センサ３０５と、表示ユニット３０６と、ユーザ入力ユニット３０７と、インタフェースユニット３０８と、メモリ３０９と、プロセッサ３１０と、電源３１１などの構成要素を含むが、それらに限定されない。図３に示される端末の構造は、端末を限定するものではなく、端末は、図示されるよりも多い又は少ない構成要素を含むことができ、又は特定の構成要素を組み合わせることができ、又は異なる構成要素の構成を含むことができることを、当業者は理解可能である。本開示の実施例において、端末は、携帯電話、タブレットパソコン、ノートパソコン、パームトップパソコン、車載端末、ウェアラブルデバイス及び歩数計などを含むが、それらに限定されない。
【００５９】
ここで、ラジオ周波数ユニット３０１は、目標メッセージを第１ネットワークノードに送信し、プロセッサ３１０は、前記第１ネットワークノードに関連する第１情報を記録する。プロセッサ３１０は、更に、前記第１ネットワークノードから前記目標メッセージに対する応答メッセージが所定時間帯内に受信されない場合、前記第１情報及び前記端末に関連する第２情報を記憶する。ラジオ周波数ユニット３０１は、更に、端末から正常にアクセスしたネットワークノードである第２ネットワークノードに前記第１情報及び／又は第２情報を送信する。
【００６０】
本開示の実施例において、端末は、目標メッセージの送信後に第１情報を記録し、対話の失敗後に第１情報と第２情報を記憶し、端末から正常にアクセスしたネットワークノードに第１情報及び／又は第２情報を送信することによって、ネットワークノードは、対話の失敗に関する第１情報及び／又は第２情報をタイムリーに取得することができ、これにより、第１情報及び／又は第２情報に基づいて情報対話処理を最適化し、情報対話の成功率を向上させることができる。
【００６１】
なお、本開示の上記実施例に係る端末は、上記情報対話方法を実現できる端末であり、上記情報対話方法のすべての実施例が該端末に適用可能であり、同じ又は類似の効果を奏することもできる。
【００６２】
なお、本開示の実施例において、ラジオ周波数ユニット３０１は、情報の送受信又は通話中で信号の送受信に用いられ、具体的に、基地局からの下りデータを受信した後、プロセッサ３１０による処理にし、また、上りデータを基地局に送信する。一般に、ラジオ周波数ユニット３０１は、アンテナ、少なくとも１つの増幅器、トランシーバ、結合器、低雑音増幅器、デュプレクサなどを含むが、それらに限定されない。また、ラジオ周波数ユニット３０１は、無線通信システムを介してネットワークや他の機器と通信を行うこともできる。
【００６３】
端末は、ネットワークモジュール３０２を介して、電子メールの送受信、ウェブページの閲覧、ストリーミングメディアへのアクセスをサポートするなど、無線ブロードバンドインターネットアクセスをユーザに提供する。
【００６４】
オーディオ出力ユニット３０３は、ラジオ周波数ユニット３０１やネットワークモジュール３０２が受信したオーディオデータや、メモリ３０９に記憶されたオーディオデータをオーディオ信号に変換して音声として出力することができる。また、オーディオ出力ユニット３０３は、端末３００が実行する特定の機能に関するオーディオ（例えば、呼出信号着信音、メッセージ着信音等）を出力してもよい。オーディオ出力ユニット３０３は、スピーカ、ブザー及びレシーバなどを含む。
【００６５】
入力ユニット３０４は、オーディオやビデオの信号を受信することに用いられる。入力ユニット３０４は、ビデオキャプチャモード又は画像キャプチャモードでカメラなどの画像キャプチャ装置によって取得された静止画又は動画の画像データを処理するグラフィックスプロセッサＧＰＵ（Ｇｒａｐｈｉｃｓ  Ｐｒｏｃｅｓｓｉｎｇ  Ｕｎｉｔ）３０４１と、マイク３０４２とを含む。処理された画像フレームは、表示ユニット３０６上に表示される。グラフィックスプロセッサ３０４１で処理された画像フレームは、メモリ３０９（又は他の記憶媒体）に記憶されるか、又はラジオ周波数ユニット３０１又はネットワークモジュール３０２を介して送信される。マイク３０４２は、音声を受信し、オーディオデータに加工することができる。処理されたオーディオデータは、電話通話モードの場合、ラジオ周波数ユニット３０１を介して移動体通信基地局に送信可能な形式に変換して出力することができる。
【００６６】
端末３００は、光センサ、モーションセンサ及び他のセンサのような少なくとも１つのセンサ３０５を更に含む。具体的には、光センサは、周辺光センサ及び近接センサを含む。周辺光センサは、周辺光の明暗に応じて表示パネル３０６１の輝度を調節し、近接センサは、端末３００が耳元に移動したときに表示パネル３０６１及び／又はバックライトを消灯する。モーションセンサの１種として、加速度計センサは、様々な方向（一般的には３軸）の加速度の大きさを検出でき、静止時は重力の大きさ及び方向を検出でき、端末姿勢の認識（例えば、縦横スクリーン切替、関連ゲーム、磁力計姿勢キャリブレーション）、振動認識関連機能（たとえば、歩数計、ストローク）などに用いることができる。センサ３０５は、指紋センサ、圧力センサ、虹彩センサ、分子センサ、ジャイロスコープ、気圧計、湿度計、温度計、赤外線センサなどを更に含むことができるが、ここでは枚挙しない。
【００６７】
表示ユニット３０６は、ユーザが入力した情報やユーザに提供した情報を表示するために用いられる。表示ユニット３０６は、液晶ディスプレイＬＣＤ（Ｌｉｑｕｉｄ  Ｃｒｙｓｔａｌ  Ｄｉｓｐｌａｙ）、有機発光ダイオードＯＬＥＤ（Ｏｒｇａｎｉｃ  Ｌｉｇｈｔ−Ｅｍｉｔｔｉｎｇ  Ｄｉｏｄｅ）などからなる表示パネル３０６１を含んでもよい。
【００６８】
ユーザ入力ユニット３０７は、数字や文字情報の入力を受け付け、ユーザによる移動端末の設定や機能制御に関するキー信号の入力を行うことに用いられる。具体的に、ユーザ入力ユニット３０７は、タッチパネル３０７１と、その他の入力機器３０７２とを含む。タッチパネル３０７１は、タッチスクリーンとも呼ばれ、その上又は付近でのユーザのタッチ操作を取得可能である（たとえばユーザが指やスタイラスなどの任意の適切な物体や付属部材を用いたタッチパネル３０７１の上又はタッチパネル３０７１の付近での操作）。タッチパネル３０７１は、タッチ検出装置とタッチコントローラの２つの部分を含む。ここで、タッチ検出装置は、ユーザのタッチ方位を検出し、タッチ操作による信号を検出してタッチコントローラに伝達する。タッチコントローラは、タッチ検出装置からのタッチ情報を受信し、それを接点座標に変換してプロセッサ３１０に送り、プロセッサ３１０からの命令を受信して実行する。なお、タッチパネル３０７１は、抵抗膜式、静電容量式、赤外線、表面弾性波など、種々の方式を用いて実現することができる。ユーザ入力ユニット３０７は、タッチパネル３０７１の他に、他の入力機器３０７２を含んでもよい。具体的に、他の入力機器３０７２は、物理的なキーボード、機能キー（例えば、音量調節キー、スイッチキーなど）、トラックボール、マウス、レバーを含むが、ここでは枚挙しない。
【００６９】
更に、タッチパネル３０７１は、表示パネル３０６１に重ねられる。タッチパネル３０７１は、その上又はその近くでタッチ操作を検出すると、プロセッサ３１０に送信して、タッチイベントのタイプを決定する。次いで、プロセッサ３１０は、タッチイベントのタイプに応じて、対応する視覚的出力を表示パネル３０６１に提供する。図３では、タッチパネル３０７１と表示パネル３０６１は、独立した２つの部品として移動端末の入出力機能を実現するが、実施例によっては、タッチパネル３０７１と表示パネル３０６１を一体化して移動端末の入出力機能を実現することもでき、具体的にここでは限定しない。
【００７０】
インタフェースユニット３０８は、外部装置と端末３００とを接続するためのインタフェースである。例えば、外部装置は、有線又は無線ヘッドホンポート、外部電源（又はバッテリ充電器）ポート、有線又は無線データポート、メモリカードポート、識別モジュールを有する装置を接続するためのポート、オーディオ入出力（Ｉ／Ｏ）ポート、ビデオＩ／Ｏポート、ヘッドホンポート等を含む。インタフェースユニット３０８は、外部装置から入力（たとえば、データ情報、電力など）を受信し、受信した入力を端末３００内の１つ以上のユニットに伝送するために使用されてもよく、又は端末３００と外部装置との間でデータを伝送するために使用されてもよい。
【００７１】
メモリ３０９は、ソフトウェアプログラム及び様々なデータを格納するために使用される。メモリ３０９は、オペレーティングシステム、少なくとも１つの機能に必要なアプリケーション（たとえば、音声再生機能、画像再生機能など）などを格納することができるプログラム格納領域と、データ格納領域とを主に含んでもよい。データ格納領域は、オーディオデータや電話帳など、携帯電話機の使用に応じて作成されたデータを記憶することができる。更に、メモリ３０９は、快速ランダムアクセスメモリを含んでもよく、少なくとも１つの磁気ディスク記憶装置、フラッシュメモリデバイスなどの不揮発性メモリ、又は他の揮発性固体記憶デバイスを含んでもよい。
【００７２】
プロセッサ３１０は、移動端末の制御センタであり、各種インタフェースや回線を用いて移動端末全体の各部を接続し、メモリ３０９に格納されたソフトウェアプログラム及び／又はモジュールを実行、メモリ３０９に格納されたデータを呼び出して移動端末の各種機能及び処理データを実行し、移動端末全体の監視を行う。プロセッサ３１０は、１つ以上の処理ユニットを含んでもよい。任意選択で、プロセッサ３１０は、オペレーティングシステム、ユーザインターフェース及びアプリケーションなどを主に処理するアプリケーションプロセッサと、ワイヤレス通信を主に処理するモデムプロセッサとを統合することができる。上述のモデムプロセッサは、プロセッサ３１０に統合されなくてもよいことが理解される。
【００７３】
端末３００は、各構成要素に電力を供給するためのバッテリのような電源３１１を更に含んでもよい。任意選択で、電源３１１は、電源管理システムを介してプロセッサ３１０に論理的に接続されてもよく、電源管理システムを介して充電、放電、及び消費電力管理などを管理する機能を実現してもよい。
【００７４】
また、端末３００は、図示しない機能モジュールを更に含んでもよく、ここでの説明は省略する。
【００７５】
任意選択で、図４に示すように、本開示の実施例は、プロセッサ４００と、メモリ４１０と、メモリ４１０に格納されて前記プロセッサ４００で動作可能なコンピュータプログラムを含む端末を更に提供し、該コンピュータプログラムがプロセッサ４００によって実行されると、上記情報対話方法の実施例の各プロセスが実現され、且つ同じ効果を奏することもでき、重複を避けるために、ここでは繰り返して記載しない。
【００７６】
本開示の実施例は、コンピュータプログラムが格納されているコンピュータ読み取り可能な記憶媒体を更に提供し、当該コンピュータプログラムがプロセッサによって実行されると、上記情報対話方法の実施例の各プロセスが実現され、且つ同じ技術効果を奏することもできるので、重複を避けるために、ここでは繰り返して記載しない。ここで、前記コンピュータ読み取り可能な記憶媒体は、たとえば、ＲＯＭ（Ｒｅａｄ−Ｏｎｌｙ  Ｍｅｍｏｒｙ）、ＲＡＭ（Ｒａｎｄｏｍ  Ａｃｃｅｓｓ  Ｍｅｍｏｒｙ）、磁気ディスク又は光ディスクなどである。
【００７７】
なお、本明細書において、「含む」や「含有する」又はそれ以外のあらゆる変形用語は、非排他的に含むことを意味する。よって、一連のユニットを含むプロセス、方法、モノ又は装置は、それらのユニットを含むだけではなく、明確に列挙されていない他のユニットを更に含み、又はこのようなプロセス、方法、モノ又は装置に固有のユニットを更に含む。特に限定されない限り、「…を１つ含む」の表現によって限定されるユニットについて、当該ユニットを含むプロセス、方法、モノ又は装置に他の同一ユニットの存在を除外しない。
【００７８】
以上の実施形態の記載から、上記実施例の方法が、ソフトウェアに必須の汎用ハードウェアプラットフォームの形態で実現され、もちろんハードウェアによっても実現されてもよく、多くの場合では前者がより好適な実施形態であることは、当業者にとって自明である。このような理解に基づき、本開示の技術手段の実質的又は従来技術に貢献した部分は、ソフトウェアプロダクトの形式で現れる。当該コンピュータソフトウェアプロダクトは、記憶媒体（たとえばＲＯＭ／ＲＡＭ、磁気ディスク、光ディスク）に記憶され、本開示の各実施例の方法を１台の端末（携帯電話、コンピュータ、サーバー、空調機又はネットワークデバイスなど）に実行させるいくつかの指令を含む。
【００７９】
以上、本開示の実施例を図面に基づいて記載したが、本開示は、上記の具体的な実施形態に限定されるものではない。上記の具体的な実施形態は、例示的なものであり、限定的なものではない。本開示のヒントを受け、当業者が本開示の趣旨および特許請求の範囲から逸脱することなくなしえる多くの形態は、すべて本開示の保護範囲に含まれる。
【００８０】
以上の記載は、本開示の具体的な実施形態に過ぎない。本開示の保護範囲は、これに限定されない。当業者が本開示に開示されている技術範囲内に容易に想到できる変化又は差し替えは、いずれも本開示の保護範囲内に含まれるべきである。従って、本開示の保護範囲は、特許請求の範囲を基準とするべきである。
【符号の説明】
【００８１】
２００  端末
２０１  送信記録モジュール
２０２  記憶モジュール
２０３  情報送信モジュール
３００  端末
３０１  ラジオ周波数ユニット
３０２  ネットワークモジュール
３０３  オーディオ出力ユニット
３０４  入力ユニット
３０４１  グラフィックスプロセッサ
３０４２  マイク
３０５  センサ
３０６  表示ユニット
３０６１  表示パネル
３０７  ユーザ入力ユニット
３０７１  タッチパネル
３０７２  入力機器
３０８  インタフェースユニット
３０９  メモリ
３１０  プロセッサ
３１１  電源
４００  プロセッサ
４１０  メモリ
【図１】
2021525033.tif 000003
【図２】
2021525033.tif 000004
【図３】
2021525033.tif 000005
【図４】
2021525033.tif 000006
【手続補正書】
【提出日】令和2年11月19日(2020.11.19)
【手続補正１】
【補正対象書類名】特許請求の範囲
【補正対象項目名】全文
【補正方法】変更
【補正の内容】
【特許請求の範囲】
【請求項１】
端末に応用される情報対話方法であって、
目標メッセージを第１ネットワークノードに送信し、前記第１ネットワークノードに関連する第１情報（１０１）を記録することと、
前記第１ネットワークノードから前記目標メッセージに対する応答メッセージが所定時間帯内に受信され  ない場合、前記第１情報及び前記端末に関連する第２情報（１０２）を記憶することと、
端末から正常にアクセスしたネットワークノード（１０３）である第２ネットワークノードに前記第１情報及び／又は第２情報を送信することとを含む、情報対話方法。
【請求項２】
前記第１ネットワークノードと前記第２ネットワークノードは、同じネットワークノードであり、又は、前記第１ネットワークノードと前記第２ネットワークノードは、異なるネットワークノードである、請求項１に記載の方法。
【請求項３】
前記第１ネットワークノードから前記目標メッセージに対する応答メッセージが前記所定時間帯内に受信された場合、前記第１情報をクリアすることを更に含む、請求項１に記載の方法。
【請求項４】
前記第１情報は、前記目標メッセージのメッセージタイプ、前記目標メッセージを搬送するアップリンクの識別情報、前記目標メッセージを搬送する上りキャリアの識別情報、前記第１ネットワークノードの識別情報、前記第１ネットワークノードのネットワークタイプ、前記第１ネットワークノードが属する公衆陸上移動体ネットワークＰＬＭＮリスト、前記第１ネットワークノードのトラッキングエリアコード、前記第１ネットワークノードの無線アクセスネットワークエリアコード、前記第１ネットワークノードの位置情報及び前記第１ネットワークノードの信号品質情報の少なくとも１つを含み、
及び／又は、
前記第２情報は、前記端末のメディアアクセス制御ＭＡＣパラメータ、前記端末の無線リンク制御レイヤプロトコルＲＬＣパラメータ、目標メッセージを送信する際に前記端末が使用する無線リソース情報及び前記端末と前記第１ネットワークノードとの対話失敗回数の少なくとも１つを含む、請求項１に記載の方法。
【請求項５】
前記第２情報には、前記端末のメディアアクセス制御ＭＡＣパラメータが含まれる場合、ＭＡＣエンティティをクリアすることを更に含み、
前記第２情報には、前記端末の無線リンク制御レイヤプロトコルＲＬＣパラメータが含まれる場合、ＲＬＣエンティティをクリアすることを更に含み、
前記第２情報には、目標メッセージを送信する際に前記端末が使用する無線リソース情報が含まれる場合、目標メッセージを送信する際に前記端末が使用する無線リソースをクリアすることを更に含む、請求項４に記載の方法。
【請求項６】
前記目標メッセージがアイドル状態又は接続非活性状態端末から送信された接続要求メッセージである場合、前記の第２ネットワークノードに前記第１情報及び／又は第２情報を送信するステップは、
端末から第２ネットワークノードに正常にアクセスしたとき、又は、端末から第２ネットワークノードに正常にアクセスした後に、前記第１情報及び／又は第２情報を第２ネットワークノードに送信することを含む、請求項１に記載の方法。
【請求項７】
前記目標メッセージが接続状態端末から送信されたメッセージである場合、前記の第２ネットワークノードに前記第１情報及び／又は第２情報を送信するステップは、
前記所定時間帯の終了時刻に前記第１情報及び／又は第２情報を、前記第１ネットワークノードと同じネットワークノードである第２ネットワークノードに送信することを含む、請求項１に記載の方法。
【請求項８】
前記の第２ネットワークノードに前記第１情報及び／又は第２情報を送信するステップは、
前記第１情報及び前記第２情報が前記端末に格納されていることを指示する第１指示情報を、第２ネットワークノードに送信することと、
前記第１情報及び／又は第２情報の報告を前記端末に指示する第２指示情報を、前記第２ネットワークノードから受信することと、
前記第２指示情報に基づいて、前記第１情報及び／又は第２情報を前記第２ネットワークノードに報告することとを含む、請求項１に記載の方法。
【請求項９】
目標メッセージを第１ネットワークノードに送信し、前記第１ネットワークノードに関連する第１情報を記録する送信記録モジュール（２０１）と、
前記第１ネットワークノードから前記目標メッセージに対する応答メッセージが所定時間帯内に受信されない場合、前記第１情報及び前記端末に関連する第２情報を記憶する記憶モジュール（２０２）と、
端末から正常にアクセスしたネットワークノードである第２ネットワークノードに前記第１情報及び／又は第２情報を送信する情報送信モジュール（２０３）とを含む、端末。
【請求項１０】
前記第１ネットワークノードから前記目標メッセージに対する応答メッセージが前記所定時間帯内に受信された場合、前記第１情報をクリアする情報クリアモジュールを更に含む、請求項９に記載の端末。
【請求項１１】
前記第１情報は、前記目標メッセージのメッセージタイプ、前記目標メッセージを搬送するアップリンクの識別情報、前記目標メッセージを搬送する上りキャリアの識別情報、前記第１ネットワークノードの識別情報、前記第１ネットワークノードのネットワークタイプ、前記第１ネットワークノードが属する公衆陸上移動体ネットワークＰＬＭＮリスト、前記第１ネットワークノードのトラッキングエリアコード、前記第１ネットワークノードの無線アクセスネットワークエリアコード、前記第１ネットワークノードの位置情報及び前記第１ネットワークノードの信号品質情報の少なくとも１つを含み、
及び／又は、
前記第２情報は、前記端末のメディアアクセス制御ＭＡＣパラメータ、前記端末の無線リンク制御レイヤプロトコルＲＬＣパラメータ、目標メッセージを送信する際に前記端末が使用する無線リソース情報及び前記端末と前記第１ネットワークノードとの対話失敗回数の少なくとも１つを含む、請求項９に記載の端末。
【請求項１２】
前記第２情報には、前記端末のメディアアクセス制御ＭＡＣパラメータが含まれる場合、ＭＡＣエンティティをクリアする第１クリアモジュール、
前記第２情報には、前記端末の無線リンク制御レイヤプロトコルＲＬＣパラメータが含まれる場合、ＲＬＣエンティティをクリアする第２クリアモジュール、及び、
前記第２情報には、目標メッセージを送信する際に前記端末が使用する無線リソース情報が含まれる場合、目標メッセージを送信する際に前記端末が使用する無線リソースをクリアする第３クリアモジュールを更に含む、請求項１１に記載の端末。
【請求項１３】
前記情報送信モジュールは、
前記目標メッセージがアイドル状態又は接続非活性状態端末から送信された接続要求メッセージである場合、端末から第２ネットワークノードに正常にアクセスしたとき、又は、端末から第２ネットワークノードに正常にアクセスした後に、前記第１情報及び／又は第２情報を第２ネットワークノードに送信する第１情報送信サブモジュールを含む、請求項９に記載の端末。
【請求項１４】
前記情報送信モジュールは、
前記第１情報及び前記第２情報が前記端末に格納されていることを指示する第１指示情報を、第２ネットワークノードに送信する第１送信サブモジュールと、
前記第１情報及び／又は第２情報の報告を前記端末に指示する第２指示情報を、前記第２ネットワークノードから受信する第１受信サブモジュールと、
前記第２指示情報に基づいて、前記第１情報及び／又は第２情報を前記第２ネットワークノードに報告する第３情報送信サブモジュールとを含む、請求項９に記載の端末。
【請求項１５】
コンピュータプログラムが格納されているコンピュータ読み取り可能な記憶媒体であって、
前記コンピュータプログラムがプロセッサによって実行されると、請求項１〜８のいずれか一項に記載の情報対話方法のステップが実現される、コンピュータ読み取り可能な記憶媒体。
【手続補正２】
【補正対象書類名】明細書
【補正対象項目名】０００３
【補正方法】変更
【補正の内容】
【０００３】
本開示は、端末が対話に失敗したか否か及び対話失敗の原因をネットワークノードが知ることができないという従来技術の問題を解決するために、情報対話方法及び端末を提供する。
【手続補正３】
【補正対象書類名】明細書
【補正対象項目名】００１１
【補正方法】変更
【補正の内容】
【００１１】
以下、本開示の実施例の図面とともに、本開示の実施例の技術手段を明確的に記載する。明らかに、記載する実施例は、本開示の実施例の一部であり、全てではない。本開示の実施例に基づき、当業者が為しえる全ての他の実施例は、いずれも本開示の保護範囲に属するものである。
【手続補正４】
【補正対象書類名】明細書
【補正対象項目名】００３７
【補正方法】変更
【補正の内容】
【００３７】
対応的に、前記目標メッセージが接続状態端末から送信されたメッセージである場合２の対話失敗が通信失敗である場合、本開示の実施例に係る情報対話方法は、前記所定時間帯の終了時刻（タイマＴ＝０のときと称されてもよい）に前記第１情報及び／又は第２情報を、前記第１ネットワークノードと同じネットワークノードである第２ネットワークノードに送信することを更に含む。
【手続補正５】
【補正対象書類名】明細書
【補正対象項目名】００３８
【補正方法】変更
【補正の内容】
【００３８】
なお、端末に上り下り変換の時間を取っておくために、所定時間帯の終了時刻よりも後のいずれかの時刻（この時刻は予め設定されていてもよい）に、前記第１情報及び／又は第２情報を第２ネットワークノードに送信してもよい。即ち、第１情報及び／又は第２情報の送信時刻と、所定時間帯の終了時刻との間の時間間隔を置くようにしてもよく、この時間間隔は、予め設定されていてもよく、特に限定されるものではない。
【国際調査報告】
2021525033.tif 000007
2021525033.tif 000008
2021525033.tif 000009
2021525033.tif 000010